(57)【要約】【課題】水切溝が簡単に形成できる水切溝用形成治具および水切溝の形成方法を提供することである。【解決手段】水切溝用形成治具１は、底面に嵌合溝５を備えた函形でかつ長尺の水切溝形成枠体２と、前記嵌合溝５に挿入されるガイド片６を備えたガイド体３とから構成され、前記水切溝形成枠体２の両側板４が下側に向かって漸次内側に傾斜して形成され、ガイド体３のガイド片６が上側に向かって漸次外側に傾斜して形成されたことである。【選択図】図１
2007254951.tif 000002
【特許請求の範囲】
【請求項１】
底面に嵌合溝を備えた函形でかつ長尺の水切溝形成枠体と、前記嵌合溝に挿入されるガイド片を備えたガイド体とから構成され、前記水切溝形成枠体の両側板が下側に向かって漸次内側に傾斜して形成され、ガイド体のガイド片が上側に向かって漸次外側に傾斜して形成されたことを特徴とする水切溝用形成治具。
【請求項２】
水切溝形成枠体の外面には突起または凹部が形成されたことを特徴とする請求項１に記載の水切溝用形成治具。
【請求項３】
請求項１または２の水切溝用形成治具におけるガイド体を型枠に固定し、このガイド体に水切溝形成枠体を嵌合した後、前記型枠にコンクリートを打設し、該コンクリートが硬化した後に、前記型枠の解体とともにガイド体を水切溝形成枠体から引き抜くと、該水切溝形成枠体がコンクリート内に埋設されて水切溝が形成されることを特徴とする水切溝の形成方法。
【請求項４】
ガイド体は型枠にビスで固定されたことを特徴とする請求項３に記載の水切溝の形成方法。
【発明の詳細な説明】
【技術分野】
【０００１】
本願発明は水切溝用形成治具およびこれを使用した水切溝の形成方法に関するものである。
【背景技術】
【０００２】
従来の水切溝、例えばバルコニーの下面や軒天の天井部おける水切溝は、図７に示すように、型枠１７の底板１８に断面台形の水切溝形成用型材１９を固定した後、型枠１７内にコンクリート２０を打設し、このコンクリート２０の硬化後、型枠１７を解体するとともにコンクリート２０内に埋設された水切溝形成用型材１９をバール２１などで取り外して形成していた。またその他の水切溝の形成方法としては、例えば特開平１１−２２０３１号の発明が知られている。
【特許文献１】特開平１１−２２０３１号公報
【発明の開示】
【発明が解決しようとする課題】
【０００３】
しかし、上記の水切溝の形成方法は、コンクリートに埋設された水切溝形成用型材の取り外しが困難であり、また取り外しに使用するバールなどで水切溝およびその周りのコンクリートを欠いてしまい、この欠いた部分の左官修理が必要になり、かつこの補修部の剥離による落下の恐れもあった。
【０００４】
本願発明はこれらの問題に鑑みてなされたものであり、その目的は、水切溝が簡単に形成できる水切溝用形成治具および水切溝の形成方法を提供することである。
【課題を解決するための手段】
【０００５】
以上の課題を解決するための水切溝用形成治具は、底面に嵌合溝を備えた函形でかつ長尺状の水切溝形成枠体と、前記嵌合溝に挿入されるガイド片を備えたガイド体とから構成され、前記水切溝形成枠体の両側板が下側に向かって漸次内側に傾斜して形成され、ガイド体のガイド片が上側に向かって漸次外側に傾斜して形成されたことを特徴とする。また水切溝形成枠体の外面には突起または凹部が形成されたことを含む。
また水切溝の形成方法は、請求項１または２の水切溝用形成治具におけるガイド体を型枠に固定し、このガイド体に水切溝形成枠体を嵌合した後、前記型枠にコンクリートを打設し、該コンクリートが硬化した後に、前記型枠の解体とともにガイド体を水切溝形成枠体から引き抜くと、該水切溝形成枠体がコンクリート内に埋設されて水切溝が形成されることを特徴とする。またガイド体は型枠にビスで固定されたことを含むものである。
【発明の効果】
【０００６】
型枠の解体とともにガイド体を水切溝形成枠体から引き抜くと、該水切溝形成枠体がコンクリート内に埋設されて水切溝が簡単に形成できる。また従来のように水切溝形成用型材の取り外しをバールで行う必要がないため水切溝の周囲に欠損部が生じなくなり、これに伴う左官補修や補修部の剥離による落下の恐れもない。また左官補修の手間を省くこともできる。
【発明を実施するための最良の形態】
【０００７】
以下、本願発明の水切溝用形成治具およびこれを使用した水切溝の形成方法の実施の形態を図面に基づいて説明する。はじめに水切溝用形成治具について説明し、その後に、この水切溝用形成治具を使用した水切溝の形成方法について説明するが、各実施の形態において同じ構成は同じ符号を付して説明する。
【０００８】
図１は第１の実施の形態の水切溝用形成治具１の斜視図を示したものであり、この水切溝用形成治具１は水切溝形成枠体２と、該水切溝形成枠体２が嵌合されたガイド体３とから構成されている。この水切溝形成枠体２は塩化ビニルで断面函形（逆台形）でかつ長尺に形成され、両側板４が下側に向かって漸次内側に傾斜して底面に嵌合溝５が形成されている。すなわち両側板４の下端が内側に狭められて内側方向に作用するバネになっている。
【０００９】
またガイド体３は水切溝形成枠体２を嵌合するものであり、上記と同様に塩化ビニルで長尺に形成され。水切溝形成枠体２の嵌合溝５に挿入される一対のガイド片６を備えている。このガイド片６は上側に向かって漸次外側に傾斜して形成され、頂部に内側へ傾斜した挿入片７が形成されている。
【００１０】
この挿入片７によってガイド片６の嵌合溝５への挿入が簡単にでき、嵌合溝５へ挿入する際にはガイド片６を内側に狭め、挿入した後はガイド片６のバネ作用によって簡単に抜けないようになっている。またガイド体３は型枠８の底板９にビス１０で固定されているため簡単に取り外せないが、嵌合溝５からは簡単に引き抜けるようなっている。
【００１１】
図２は第２の実施の形態の水切溝用形成治具１１の斜視図を示したものである。この水切溝用形成治具１１は水切溝形成枠体２の外面に突起１２または凹溝１３を形成したものであり、これ以外は第１の実施の形態の水切溝用形成治具１と同じ構成である。この突起１２と凹溝１３とはコンクリートの付着強度を高めるものであり、突起１２を長さ方向とは反対の横方向に、凹溝１３を長さ方向とは反対の横方向にそれぞれ設けることもできる。
【００１２】
次に、第１の実施の形態の水切溝用形成治具１を使用したバルコニーにおける水切溝の形成方法について説明する。まず図３に示すように、水切溝形成枠体２とガイド体３とが一体になった水切溝用形成治具１を現場において分離し、ガイド体３をバルコニー用の型枠８の底板９にビス１０で固定する。
【００１３】
次に、図４に示すように、型枠８の底板９に固定したガイド体３のガイド片６を嵌合溝５に挿入して水切溝形成枠体２をガイド体３に嵌合する。このガイド片６は内側に狭めて嵌合溝５に挿入するため、挿入された後はガイド片６のバネ作用によって水切溝形成枠体２がガイド体３から容易に引き抜けないようになっている。また水切溝形成枠体２の両側板４の下端部も型枠８の底板９に密接されるためコンクリートが水切溝形成枠体２に入り込まないようになっている。
【００１４】
次に、水切溝形成枠体２とガイド体３とが一体になった型枠８内にコンクリート１４を打設するが、ガイド体３が底板９にビス１０で固定されているため、コンクリート１４の打設圧によって水切溝用形成治具１がずれたりすることがない。
【００１５】
次に、図５および図６に示すように、上記のコンクリート１４の硬化後に型枠８を解体すると、型枠８の解体に伴って水切溝形成枠体２からガイド体３が抜けて、水切溝形成枠体２のみがコンクリート１４内に埋設され、この埋め殺しになった水切溝形成枠体２でバルコニー１５の水切溝１６が形成される。
【００１６】
このときガイド体３は底板９にビス１０で固定されて外れることがないため、型枠８の解体と同時に水切溝１６が形成できる。したがって、水切溝１６の周囲に欠損部が生じたり、この欠損部の左官補修をする必要もなく、補修部の剥離による落下の心配をする必要もない。
【００１７】
なお、この水切溝の形成方法はバルコニーに限らず、その他の箇所の水切溝も同じ方法で形成する。
【図面の簡単な説明】
【００１８】
【図１】第１の実施の形態の水切溝用形成治具の斜視図である。
【図２】（１）および（２）は第２の実施の形態の水切溝用形成治具の斜視図である。
【図３】ガイド体を型枠の底板に固定した断面図である。
【図４】型枠にコンクリートを打設した断面図である。
【図５】型枠を解体する断面図である。
【図６】水切溝が形成されたバルコニーの断面図である。
【図７】（１）および（２）は従来の水切溝の形成方法の断面図である。
【符号の説明】
【００１９】
１、１１  水切溝用形成治具
２  水切溝形成枠体
３  ガイド体
４  両側板
５  嵌合溝
６  ガイド片
７  挿入片
８、１７  型枠
９、１８  底板
１０  ビス
１２  突起
１３  凹溝
１４、２０  コンクリート
１５  バルコニー  
１６  水切溝
１９  水切溝形成用型材
２１  バール
【図１】
2007254951.tif 000003
【図２】
2007254951.tif 000004
【図３】
2007254951.tif 000005
【図４】
2007254951.tif 000006
【図５】
2007254951.tif 000007
【図６】
2007254951.tif 000008
【図７】
2007254951.tif 000009